(57)【要約】【課題】本体主部と、下ケースと、蓋体とを簡単な構造とし、簡単に取り付けられるようにした吸込口体及びこの吸込口体を用いた電気掃除機を提供する。【解決手段】本発明に係る電気掃除機３０は、接続管４１が取り付けられる本体主部４２と、本体主部４２を担持する下ケース４３と、本体主部４２に載置される蓋体４４とが上下方向に積層設置される吸込口体３６を備えている。この吸込口体３６には、本体主部４２と下ケース４３と蓋体４４とに水平方向より係合して本体主部４２と下ケース４３と蓋体４４とが積層方向に分離することを防止する固定部材４５が設けられている。【選択図】  図３
2005046219.tif 000002
【特許請求の範囲】
【請求項１】
接続管が取り付けられる本体主部と、該本体主部を担持する下ケースと、前記本体主部に載置される蓋体とが上下方向に積層設置される吸込口体において、
前記本体主部と前記下ケースと前記蓋体とに水平方向より係合して前記本体主部と前記下ケースと前記蓋体とが積層方向に分離することを防止する固定部材が設けられていることを特徴とする吸込口体。
【請求項２】
前記固定部材は、水平方向に突出する第１係合突起と、該第１係合突起と同方向に突出する第２係合突起とを備え、
前記本体主部は、前記第１係合突起と係合する本体被係合部を備え、
前記蓋体は、前記第１係合突起を水平方向にスライドさせて前記本体被係合部に案内するガイド部材と、該ガイド部材により案内された前記第１係合突起が挿通される挿通孔とを備え、
前記下ケースは、前記第２係合突起と係合する下ケース被係合部を備え、
前記固定部材の前記第１係合突起を前記ガイド部材に沿って水平方向にスライドさせることによって、前記第１係合突起を前記挿通孔に挿通させて前記本体被係合部に係合させるとともに前記第２係合突起を前記下ケース被係合部に係合させることを特徴とする請求項１に記載の吸込口体。
【請求項３】
請求項１又は請求項２に記載の吸込口体を備えた電気掃除機。
【発明の詳細な説明】
【０００１】
【発明の属する技術分野】
本発明は、回転清掃体を保持する本体主部と、該本体主部を担持する下ケースと、前記本体主部に載置される蓋体とが上下方向に積層設置される吸込口本体及び該吸込口体を備えた電気掃除機用に関する。
【０００２】
【従来の技術】
図１０に示すように、一般的な電気掃除機１は、掃除機本体２と、吸込ホース３と、手元操作管４と、延長管５、６と、吸込口体７とを備えている。
【０００３】
掃除機本体２は、集塵室１０と、電動送風機１１とを備えている。集塵室１０は、掃除機本体２の前側内部に形成されており、集塵室１０には、紙パックフィルター等の集塵袋１２が設置されている。電動送風機１１は、掃除機本体２の後側内部であって集塵室１０に連接されて設置されており、集塵室１０に対して吸引負圧を作用させる役割を有している。
【０００４】
吸引ホース３の一端３ａは、掃除機本体２の前面部に形成された接続口に着脱可能に接続されており、吸引ホース３は、接続口を介して集塵室１０へと連通されている。吸引ホース３の他端３ｂには、手元操作管４が取り付けられており、その先には延長管５、６を介して吸込口体７が設けられている。
【０００５】
吸込口体７は、図１１、１２に示すように、吸込口本体１４と、接続管１５とを有している。吸込口本体１４は、接続管１５が接続される本体主部１６と、本体主部１６を担持する下ケース１７と、本体主部１６に載置される蓋体１８とを備えている。
【０００６】
本体主部１６には、接続管１５に連通される吸引風路２０が設けられており、吸引風路２０は、本体主部１６前方に進むに従って幅広になるように形成されている。本体主部１６の吸引風路開口２１の前方部分には、回転清掃体２２が回転自在に設置されており、回転清掃体２２は、手元操作管４の設定に応じた速度で回転させられる。
【０００７】
下ケース１７の底面であって回転清掃体２２の真下部分には、床面２３の粉塵を吸入するための底面吸込開口２４が形成されている。蓋体１８は、回転清掃体２２の上方を覆う様にして設置されており、回転清掃体２２を交換等する場合に蓋体１８を取り外してから交換を行う構造となっている。床面２３の粉塵は、回転清掃体２２の回転によって舞上げられて底面吸込開口２４から吸込風路２０を通って吸引ホース３へ導かれ、最終的には掃除機本体２の集塵袋１２に収集される（例えば、特許文献１参照）
【０００８】
【特許文献１】
特開２００３−１６４３９７号公報
【０００９】
【発明が解決しようとする課題】
上述した吸込口体７では、図１３に示すように、本体主部１６に対して下ケース１７又は蓋体１８を取り付けるために、吸込口体７の裏面からネジ２５を用いて各ケース１６、１７、１８のネジ止めを行っていた。このため、本体主部１６等に対してネジ溝部を形成する必要があるので本体主部１６等の構造が複雑になるとともに、取り付けの際にネジ２５を用いた取り付け作業を行う必要があるので取り付けの作業負担が大きくなるという問題があった。
【００１０】
また、使用者が吸込口体７を洗いたいときに、吸込口体７を分解すること（分解作業）が難しいという問題があった。
【００１１】
本発明は、上記の問題に鑑みてなされたものであり、本体主部と、下ケースと、蓋体とを簡単な構造とし、簡単に取り付けられるようにした吸込口体及びこの吸込口体を用いた電気掃除機を提供することを課題とする。
【００１２】
【課題を解決するための手段】
上記の課題を解決するために、本発明に係る発明は、接続管が取り付けられる本体主部と、該本体主部を担持する下ケースと、前記本体主部に載置される蓋体とが上下方向に積層設置される吸込口体において、前記本体主部と前記下ケースと前記蓋体とに水平方向より係合して前記本体主部と前記下ケースと前記蓋体とが積層方向に分離することを防止する固定部材が設けられていることを特徴とする。
【００１３】
本発明に係る吸込口体は、本体主部、下ケース、蓋体が積層設置された吸込口本体に対して、本体主部、下ケース、蓋体にそれぞれ水平方向から係合する固定部材が設けられるので、固定部材によって本体主部、下ケース、蓋体が上下方向に分解することを防止することができるとともに、固定部材によって、本体主部、下ケース、蓋体の３つのケースを同時に固定することができる。
【００１４】
また、固定部材を用いることによって、従来のようにネジ部材等を用いることなく本体主部、下ケース、蓋体を固定することができるので、組み立て労力の低減を図ることが可能となる。さらに。本体主部、下ケース、蓋体に対してネジ溝部等を形成しなくても良いので、各ケースの形状・構造の簡略化を図りやすくなり、吸込口体の小型化を図ることが容易となる。
【００１５】
【発明の実施の形態】
以下、本発明に係る吸込口体及び吸込口体を備えた電気掃除機を、図面を用いて説明する。
【００１６】
図１に示すように、電気掃除機３０は、掃除機本体３１と、吸込ホース３２と、手元操作管３３と、延長管３４、３５と、吸込口体３６とを備えている。
【００１７】
掃除機本体３１は、集塵室３７と、電動送風機３８とを備えている。集塵室３７は、掃除機本体３１の前側内部に形成されており、集塵室３７には、紙パックフィルター等の集塵袋３９が配設されている。電動送風機３８は、掃除機本体３１の後側内部であって集塵室３７に連接されて設置されており、集塵室３７に対して吸引負圧を作用させる役割を有している。
【００１８】
吸引ホース３２の一端３２ａは、掃除機本体３１の前面部に形成された接続口に着脱可能に接続されており、吸引ホース３２は、接続口を介して集塵室３７へと連通されている。吸引ホース３２の他端３２ｂには、手元操作管３３が取り付けられており、その先には延長管３４、３５を介して吸込口体３６が設けられている。
【００１９】
吸込口体３６は、図２、３に示すように、吸込口本体４０と接続管４１とを有している。吸込口本体４０は、接続管４１が取り付けられる本体主部４２と、本体主部４２を担持する下ケース４３と、本体主部４２に載置される蓋体４４と、本体主部４２と下ケース４３と蓋体４４とに係合する固定部材４５とを備えている。
【００２０】
本体主部４２は、図示しない上部ケース及び下部ケースにより構成されるケース本体部４６と、一対の保持アーム４８、４８とを備えている。ケース本体部４６には、上部ケースと下部ケースとで挟持された接続管４１に連通される吸引風路が設けられている。ケース本体部４６の上面は緩やかな曲面で形成されており、この曲面が吸込口体３６の上側の外表面５１を構成している。
【００２１】
ケース本体部４６の左右上後端部には、凹所５２が形成されており、この凹所５２の前方側側面には、後述する固定部材４５の第１係合突起５５が係合される本体係合孔５６が形成されている。さらに凹所５２は、次述する下ケース係合部５７が入り込むスペース５８を確保するために後端部が切り欠かれた形状となっている。
【００２２】
保持アーム４８は、ケース本体部４６の前面に形成された吸引風路の開口を挟むようにしてケース本体部４６の左右前端部に形成されている。保持アーム４８には、回転清掃体５９が回転自在に設置されており、回転清掃体５９は、図示を省略するモータの駆動力によって回転する構造となっている。
【００２３】
下ケース４３は、本体主部４２を嵌入可能な凹所を備えた平面視コ字形状を呈している。下ケース４３の凹所に本体主部４２が収納されると、下ケース４３の側面及び底面が吸込口体３６の側方及び底面側の外表面を形成し、後部側壁面６０はケース本体部４６の上側外表面５１と連続した面形状を成している。下ケース４３の左右後端部には、下ケース係合部５７が形成されている。下ケース係合部５７は、下ケース４３の後部側壁面６０の内側より直立した柱部６１に対して後述する固定部材４５の第２係合突起６２が嵌入される下ケース係合孔６３が形成されたものである。下ケース係合部５７は、図４に示すように、下ケース４３に本体主部４２が担持された場合に、本体主部４２の凹所５２と下ケース係合部５７の上端面とが同一高さとなるように形成されている。
【００２４】
蓋体４４は、回転清掃体５９を前面から上面にかけて覆うための部材であり、蓋体４４の外表面６６はケース本体部４６の外表面５１と連続する曲面で形成されている。回転清掃体５９の掃除・交換は、蓋体４４を本体主部４２から取り外すことによって行う。蓋体４４の左右後端部には、図５に示すようにガイド部材６７が水平後方向に延びるようにして形成されている。ガイド部材６７の前端部には、固定部材４５の第１係合突起５５が挿通される挿通孔６８が形成されており、ガイド部材６７の案内面には第１係合突起５５を上方に付勢する弾性片６９が設けられている。さらに、ガイド部材６７の側方端部には、固定部材４５の後述する誘導突起７０を案内するガイド孔７１が形成されており、ガイド孔７１には、誘導突起７０の頭部７２が挿通される頭部挿通孔７３と誘導突起７０の首部７４がスライドされるスライド孔７５とが形成されている。
【００２５】
固定部材４５は、図６、７に示すように、上面部７７がケース本体部４６の外表面５１と連続した外表面を構成する曲面で形成され、側面部が下ケース４３の後部側壁面６０と連続する面によって形成されている。固定部材４５は、前端部に形成される第１係合突起５５と内側下端部に形成される第２係合突起６２と、第１係合突起５５に対して正面視で僅かに内側寄り（接続管４１方向寄り）に位置し、下方に延びる誘導突起７０とを備えている。第１係合突起５５と第２係合突起６２とは、両方ともほぼ水平方向に突出して形成されており、正面視でほぼ同一位置（側壁面から同一距離）に形成されているが、設置される高さが異なっている。誘導突起７０は、固定部材４５の内側に水平方向に延設される基部８０と、基部８０の下部に形成されて正面視薄肉幅を呈して下方に垂出する首部７４と、首部７４の先端に形成されて基部とほぼ同幅の肉厚を呈する頭部７２とを備えている。
【００２６】
次に、固定部材４５を用いて、本体主部４２、下ケース４３、蓋体４４を固定する方法を説明する。まず、本体主部４２に回転清掃体５９を設置してから、本体主部４２を下ケース４３の凹所に収納する。その後、本体主部４２の上面に蓋体４４を積層設置して本体主部４２と、下ケース４３と、蓋体４４とを重ね合わせる。本体主部４２と、下ケース４３と、蓋体４４とは、積層されることによって組み立てられているので、上下方向に分離しやすい構造となっている。本体主部４２と、下ケース４３と、蓋体４４とが積層設置された吸込口本体４０に対して、固定部材４５を後方から水平方向に取り付ける。
【００２７】
まず、固定部材４５の第１係合突起５５を蓋体４４のガイド部材６７へ運び、ガイド部材６７の頭部挿通孔７３に誘導突起７０の頭部７２を挿通させてから誘導突起７０の首部７４をスライド孔７５に沿って前方へスライドさせる。誘導突起７０がスライド孔７５により前方にスライドされると、第１係合突起５５が挿通孔６８に挿通され、弾性片６９が第１係合突起５５を係止するとともに、挿通孔６８に挿通された第１係合突起５５の先端部が本体係合孔５６に係合する。
【００２８】
図８は、固定部材４５と蓋体４４との係合関係を、蓋体４４の裏面側より示した斜視図であり、符号８１が、挿通孔６８に挿通された第１係合突起５５の先端部であり、この先端部８１が本体主部４２の本体係合孔５６に係合する。また、符号７２は、誘導突起７０の頭部であり、頭部挿通孔７３に挿通された固定部材４５の頭部７２は、スライド孔７５に沿って図８に示すようにスライド移動される。このように頭部７２がスライド孔７５に沿ってスライドすることによって、固定部材４５が蓋体４４に対して上下方向に分離しないように係合される。
【００２９】
また、固定部材４５の第１係合突起５５がガイド部材６７によって挿通孔６８に案内されると、第２係合突起６２も同方向に移動するので、図９に示すように、第１係合突起５５が本体係合孔５６に係合すると同時に、第２係合突起６２が下ケース係合部５７に形成される下ケース係合孔６３に係合する。
【００３０】
このように、本体主部４２、下ケース４３、蓋体４４が積層設置された吸込口本体４０に対して、本体主部４２、下ケース４３、蓋体４４にそれぞれ水平方向から係合する固定部材４５が設けられるので、固定部材４５によって本体主部４２、下ケース４３、蓋体４４が上下方向に分解することを防止することができるとともに、固定部材４５によって、本体主部４２、下ケース４３、蓋体４４の３つのケースを同時に固定することができる。
【００３１】
また、固定部材４５を用いることによって、従来のようにネジ部材等を用いることなく本体主部４２、下ケース４３、蓋体４４を固定することができるので、組み立て労力の低減を図ることが可能となる。さらに。本体主部４２、下ケース４３、蓋体４４に対してネジ溝部等を形成しなくても良いので、各ケースの形状・構造の簡略化を図りやすくなり、吸込口体３６の小型化を図ることが容易となる。
【００３２】
以上、本発明に係る電気掃除機３０を、図面を用いて説明したが、本発明に係る電気掃除機３０は、発明の実施の形態において説明したものに限定されるものではない。例えば、発明の実施に形態においては、固定部材４５を吸込口本体４０の左右に１つずつ（合計２個）設けた例を説明したが、固定部材４５は必ずしも２個である必要はなく、１個であっても３個以上であっても良い。さらに固定部材４５は、吸込口本体４０の左右端部に設置されるものだけに限定されず、固定部材４５で本体主部４２、下ケース４３、蓋体４４の３ケースの取り付けを行うことが可能であるならば、吸込口本体４０の中央部等に取り付けても良い。
【００３３】
【発明の効果】
本発明に係る吸込口体は、本体主部、下ケース、蓋体が積層設置された吸込口本体に対して、本体主部、下ケース、蓋体にそれぞれ水平方向から係合する固定部材が設けられるので、固定部材によって本体主部、下ケース、蓋体が上下方向に分解することを防止することができるとともに、固定部材によって、本体主部、下ケース、蓋体の３つのケースを同時に固定することができる。
【００３４】
また、固定部材を用いることによって、従来のようにネジ部材等を用いることなく本体主部、下ケース、蓋体を固定することができるので、組み立て労力の低減を図ることが可能となる。さらに。本体主部、下ケース、蓋体に対してネジ溝部等を形成しなくても良いので、各ケースの形状・構造の簡略化を図りやすくなり、吸込口体の小型化を図ることが容易となる。
【図面の簡単な説明】
【図１】本発明に係る電気掃除機を示した図である。
【図２】本発明に係る吸込口体を示した斜視図である。
【図３】本発明に係る吸込口体を示した展開斜視図である
【図４】本発明に係る本体主部と下ケースとを示した斜視図である
【図５】本発明に係る蓋体のガイド部材を示した拡大斜視図である。
【図６】本発明に係る固定部材を示した斜視図である。
【図７】本発明に係る固定部材を示した側面図である。
【図８】本発明に係る固定部材と蓋体とを、蓋体の裏面側より示した斜視図である。
【図９】図２に示した吸込口体におけるＡ−Ａ断面を示した断面図である。
【図１０】従来の電気掃除機を示した斜視図である。
【図１１】従来の吸込口体を示した側面図である。
【図１２】従来の吸込口体を示した側方断面図である。
【図１３】従来の吸込口体を裏面側から示した斜視図である。
【符号の説明】
１、３０  電気掃除機
２、３１  掃除機本体
１６、４２  本体主部
１７、４３  下ケース
１８、４４  蓋体
２２、５９  回転清掃体
４５  固定部材
５５  第１係合突起
５６  本体係合孔（本体被係合部）
６２  第２係合突起
６３  下ケース係合孔（下ケース被係合部）
６７  ガイド部材
６８  挿通孔
【図１】
2005046219.tif 000003
【図２】
2005046219.tif 000004
【図３】
2005046219.tif 000005
【図４】
2005046219.tif 000006
【図５】
2005046219.tif 000007
【図６】
2005046219.tif 000008
【図７】
2005046219.tif 000009
【図８】
2005046219.tif 000010
【図９】
2005046219.tif 000011
【図１０】
2005046219.tif 000012
【図１１】
2005046219.tif 000013
【図１２】
2005046219.tif 000014
【図１３】
2005046219.tif 000015